(57)【特許請求の範囲】
【請求項１】
養殖用外箱に地下水をそれぞれ循環するように配管し、前記養殖用外箱内にはドジョウ類を養殖させ、前記養殖用外箱に宙づりにザル型中箱を収納し、該ザル型中箱の中に植物繊維を入れ、冷温水用配管に接続された熱交換用ウレタンチューブを前記植物繊維の中心を通し、水生食用植物の根を前記植物繊維に植え付け、前記養殖用外箱全体を温めたり冷やしたりするのではなく、前記熱交換用ウレタンチューブ周囲の前記植物繊維を温めたり冷やしたりすることでドジョウ類や水生食用植物を早期に安定して成長させることを特徴とするドジョウ類と水生食用植物との共生養殖栽培方法。
【請求項２】
前記地下水用配管にファインバブル装置によりファインバブル水を供給し、前記養殖用外箱内の水中の溶存酸素濃度を平均的地下水の０．２０ｍｇ／Ｌからファインバブル水で１２ｍｇ／Ｌに上げることで、セリなど水生食用植物とドジョウ類の成長に必要な酸素量が確保できると共に、充分な酸素量を加えることでそれぞれの生長が促進されることを特徴とする請求項１記載のドジョウ類と水生食用植物との共生養殖栽培方法。
【請求項３】
ドジョウ類の養殖用外箱を横置き又は縦置きに複数並べ、地下水用配管をそれぞれの養殖用外箱に循環するように配管し、前記養殖用外箱内にはドジョウ類を養殖させ、前記養殖用外箱にザル型中箱をＳ字型針金で宙吊りにし、宙吊りにされたザル型中箱の中に植物繊維を入れ、前記ザル型中箱にはセリなどの水生食用植物の根を前記植物繊維に間隔を空けて複数本植え付け、冷温水用配管に接続された熱交換用ウレタンチューブを前記植物繊維の中心を通し、前記養殖用外箱の上流側の入り口から下流側の出口に向かい設置することを特徴とするドジョウ類と水生食用植物との共生養殖栽培装置。
【請求項４】
前記地下水用配管にファインバブル装置を接続することにより、前記地下水用配管にファインバブル水を供給して養殖用外箱内の水中の溶存酸素濃度を平均的地下水の０．２０／Ｌからファインバブル水で１２ｍｇ／Ｌに上げることで、セリなどの水生食用植物とドジョウ類の成長に必要な酸素量が確保できることを特徴とする請求項３記載のドジョウ類と水生食用植物との共生養殖栽培装置。
【発明の詳細な説明】
【技術分野】
【０００１】
本発明は、硬骨魚網コイ目ドジョウ科に分類されるドジョウ類と、ジュンサイ、セリなどの水生食用植物との共生養殖栽培方法及び装置に関するものである。
【背景技術】
【０００２】
ドジョウ類は、秋から冬になると土中に潜り込み越冬する性質があり、ジュンサイ、セリなどの水生食用植物も秋から冬には水温の低下により枯れる現象となる。どちらも高級食材として需要はあるものの、年間養殖は難しく農家の経営と若手の農家が育ちがたい課題がある。
【０００３】
近年、ドジョウ類の養殖とジュンサイ、セリなどの水生食用植物の栽培は別々に行われているし、秋から冬にかけての農家の安定収益がなく問題があった。また、ドジョウ類や水生食用植物に伝染病が多く発生し、全滅する場合もあって問題があった。
【０００４】
なお、特許文献１には、ドジョウ類の圃場における土中養殖についての養殖施設及び養殖方法について記載され、特許文献２では、循環水流で魚と植物が保有する機能と特性について観賞用インテリア庭園の方法について記載され、特許文献３では、観賞魚用水槽の浄化方法が記載されているが、いずれも本発明とは具体的構成が異なっている。
【先行技術文献】
【特許文献】
【０００５】
【特許文献１】特開２０１３−７４８４４号公報
【特許文献２】特開２０００−３１６３８５号公報
【特許文献３】特開平１０−４２７４７号公報
【発明の概要】
【発明が解決しようとする課題】
【０００６】
本発明は、このような問題に基づきなされたものであり、ドジョウ類と水生食用植物を共生させつつ効率よく養殖並びに栽培することができるドジョウ類と水生食用植物との共生養殖栽培方法及び装置を提供することを目的とする。
【課題を解決するための手段】
【０００７】
本発明のドジョウ類と水生食用植物との共生養殖栽培方法は、養殖用外箱に地下水をそれぞれ循環するように配管し、前記養殖用外箱内にはドジョウ類を養殖させ、前記養殖用外箱に宙づりにザル型中箱を収納し、該ザル型中箱の中に植物繊維を入れ、冷温水用配管に接続された熱交換用ウレタンチューブを前記植物繊維の中心を通し、水生食用植物の根を前記植物繊維に植え付け、前記養殖用外箱全体を温めたり冷やしたりするのではなく、前記熱交換用ウレタンチューブ周囲の前記植物繊維を温めたり冷やしたりすることでドジョウ類や水生食用植物を早期に安定して成長させるものである。
【０００８】
本発明のドジョウ類と水生食用植物との共生養殖栽培装置は、ドジョウ類の養殖用外箱を横置き又は縦置きに複数並べ、地下水用配管をそれぞれの養殖用外箱に循環するように配管し、前記養殖用外箱内にはドジョウ類を養殖させ、前記養殖用外箱にザル型中箱をＳ字型針金で宙吊りにし、宙吊りにされたザル型中箱の中に植物繊維を入れ、前記ザル型中箱にはセリなどの水生食用植物の根を前記植物繊維に間隔を空けて複数本植え付け、冷温水用配管に接続された熱交換用ウレタンチューブを前記植物繊維の中心を通し、前記養殖用外箱の上流側の入り口から下流側の出口に向かい設置するものである。
【発明の効果】
【０００９】
本発明のドジョウ類と水生食用植物との共生養殖栽培装置では、セリなど水生食用植物とドジョウ類の共生を目的として根を固定するように麻、椰子殻などの植物繊維を多く入れており、効果として、夏には井戸水による冷水の熱交換として働き、冬には温泉水またはボイラーによる温水を流すことができる。温水は循環式として、井戸水による冷水は一方方向にして流しこみタンクに落とした後、再び装置内に戻して流すことで無駄なく使用できる。植物繊維の中のみを穏やかに流し、夏は冷房効果として、冬は暖房効果として利用できる。容器全体を暖めたり冷やしたりするのではなく、植物繊維の中のみを行うことでセリなどの水生食用植物やドジョウ類は早期に安定して成長させることができる。
【図面の簡単な説明】
【００１０】
【図１】本発明のドジョウ類と水生食用植物との共生養殖栽培装置の構成を表すシステム図である。
【図２】本発明のドジョウ類と水生食用植物との共生養殖栽培装置の構成を表す断面図である。
【図３】本発明のドジョウ類と水生食用植物との共生養殖栽培装置の側面図である。
【発明を実施するための形態】
【００１１】
本発明のドジョウ類と水生食用植物との共生養殖栽培装置の一実施例について、以下図面を参照して詳細に説明する。
図１のシステム図に示すように、ドジョウ類の養殖用外箱１を横置き又は縦置きに複数並べ、地下水用配管２、冷温水用配管３をそれぞれの養殖用外箱１に循環するように配管する。
図２の断面図に示すように、前記養殖用外箱１にザル型中箱４をＳ字型針金５で宙吊りにし、宙吊りにされたザル型中箱４の中に麻、椰子殻などの植物繊維６を適度に入れ、前記冷温水用配管３に接続された熱交換用ウレタンチューブ７を前記植物繊維６の中心に入れる。
前記ザル型中箱４は通水可能な穴を複数備え、Ｓ字型針金５などで底から適度な高さ位置に設置し、セリなどの水生食用植物８の根を前記植物繊維６にふんわりとした固さになるように間隔を空けて複数本植え付ける。
前記熱交換用ウレタンチューブ７は養殖用外箱１の側壁中心に直接取り付け、植物繊維６の中心を養殖用外箱１の上流側の入り口から下流側の出口に向かい設置する。
【００１２】
前記ザル型中箱４では、セリなど水生食用植物８とドジョウ類９の共生を目的として根の部分に植物繊維６を多く入れており、効果として、セリの根の固定に寄与すると共に、ドジョウ類９の隠れる場所として提供できる。ドジョウ類９は臆病であり一匹が驚くとすべてが一斉にパニックになることから、体力の消耗と体がこすれて皮膚病から重篤な病気になり、全滅になることが知られている。
【００１３】
図２に示すように、冬の暖房に温泉水やボイラー温水を植物繊維６中の熱交換用ウレタンチューブ７内をポンプ１０にて流すが、年間水温を２０℃程度に保つことにより、年間の生産が可能である。ドジョウ類９は１年間程度で出荷サイズになることから、絶えず注文にこたえることが可能である。また、セリなどの水生食用植物８は必要時に出荷ができるので、年間のスケジュールに合わせることができる。
【００１４】
図３の側面図に示すように、ジュンサイを栽培した場合に、養殖用外箱１の高さを作業用便利な１ｍ程度とした場合、ジュンサイ摘み取りに船などを必要なく、効率的に採取できる。またジュンサイなどの生産用稚芽は目で確認して採取可能であり、効率的・安全に採取可能である。
【００１５】
養殖用外箱１の下流側にドジョウ類９の大きさを自動で選別し出荷できるドジョウ類選別箱１１を設置した。穴のサイズ違いの金網を数段に用意し、上段より細かい穴から順次下に落とすことで、穴をくぐり抜けた物のみ下に落ちる。
【００１６】
図１に示すように、別に開発したファインバブル装置（マイクロバブル発生装置又はナノバルブ発生装置ともいう。）１２を地下水用配管２に接続することにより、地下水用配管２にファインバブル水を供給して養殖用外箱１内の水中の溶存酸素濃度を平均的地下水の０．２０ｍｇ／Ｌからファインバブル水で１２ｍｇ／Ｌに上げることで、セリなど水生食用植物８とドジョウ類９の成長に必要な酸素量が確保できると共に、十分な酸素量を加えることでそれぞれの成長が促進される。また別に開発したファインバブル装置１２によるファインバブル水は殺菌効果が認められており、尾腐れ病や白点病などからドジョウ類９やセリなどの水生食用植８を守ることができる。
【００１７】
次に、本発明のドジョウ類と水生食用植物との共生養殖栽培装置の操作動作について、以下図面を参照にして詳細に説明する。
図２に示すように、幅が５０ｃｍ程度で、長さ１０ｍ程度、深さ５０ｃｍ程度の木箱又はＦＲＰ等の樹脂製養殖用外箱１を用意する。前記養殖用外箱１の中に幅４０ｃｍ程度で、長さ９ｍ程度、深さ４０ｃｍ程度のザル型中箱４を、Ｓ字型針金５により底から少なくとも２０ｍｍ程度の空間を有した領域１３を作って宙吊りにする。ザル型中箱４の中に、麻、椰子殻などの植物繊維６を適度に入れセリやジュンサイの根を固定する。
また植物繊維６の中心には、熱交換用ウレタンチューブ７などを配管し、冷暖房用として循環型に組むことで、夏は冷水による水温維持と冬は温泉水やボイラーによる暖房用としてのドジョウ類９やセリなど水生食用植物８を年間通して養殖栽培可能である。
【００１８】
本発明のドジョウ類と水生食用植物との共生養殖栽培装置では、養殖用外箱１とザル型中箱４に分けているが、ザル型中箱４にはセリなどの水生食用植物８を植物繊維６で固定しており、Ｓ字型針金５で高さ位置を上下に移動できる。日中や餌の時間は養殖用外箱１底部にドジョウ類が居て餌を食べるが、息継ぎに上部水面に移動するため、必ず養殖用外箱１底部との間に空間を有した領域１３が必要である。
【００１９】
このように、養殖用外箱１とザル型中箱４とに分けているが、餌が養殖用外箱１底部に溜り水が腐るので、定期的に底のみ水を流してごみ類を除去できる。また、ドジョウ類９の成育に合わせて高さをＳ字型針金５などで変えれば便利である。
ドジョウ類９の成長時又は出荷時には、養殖用外箱１の下流用域に穴の違う箱１４を用意すれば、サイズに合わせて集めることができるので、便利である。
【００２０】
ドジョウ類９の自然採卵が期待でき親ドジョウ類の抱卵が近づいたら養殖用外箱１を専用とし、植物繊維６に産卵した後、別の養殖用外箱１にザル型中箱４を移すことで共食いを避け、稚魚のみにすることができる。稚魚は専用の餌を与えることでそのまま生育が可能であり、セリなどの水生食用植物８と共生できる。
【００２１】
また、ドジョウ類９と水生食用植物８であるセリやジュンサイなどの共生養殖であり、例えばハウス栽培も可能であることから、水害による逃げ出しや、盗難されることもなく、鳥やネズミなど外敵に食われるリスクがない。よって大量生産向きであり、設備費も安価に設置できる。
【００２２】
さらに、水生食用植物８であるセリやジュンサイなどに対し、肥料として水耕栽培用液肥を本来入れなければならないが、ドジョウ類９の餌が水に溶けるのでカリやカルシュウムなどが吸収できる。液肥は必要に応じてわずかで足りる。
【００２３】
本発明のドジョウ類と水生食用植物との共生養殖栽培装置では、セリなど水生食用植物８とドジョウ類９の共生を目的として根を固定するように植物繊維６を多く入れており、効果として、夏には井戸水による冷水の熱交換として働き、冬には温泉水またはボイラーによる温水を流すことができる。温水は循環式として、井戸水による冷水は一方方向にして流しこみタンクに落とした後、再び装置内に戻して流すことで無駄なく使用できる。植物繊維６の中のみを穏やかに流し、夏は冷房効果として、冬は暖房効果として利用できる。養殖用外箱１全体を暖めたり冷やしたりするのではなく、植物繊維６の中のみを行うことでセリなどの水生食用植物８やドジョウ類９は早期に安定して成長させることができる。
【符号の説明】
【００２４】
１  養殖用外箱
２  地下水用配管
３  冷温水用配管
４  ザル型中箱
５  Ｓ字型針金
６  植物繊維
７  熱交換用ウレタンチューブ
８  水生食用植物
９  ドジョウ類
１０ポンプ
１１ドジョウ類選別箱
１２ファインバブル装置
１３空間を有した領域
１４穴の違う箱
【図１】
0006348142.tif 000002
【図２】
0006348142.tif 000003
【図３】
0006348142.tif 000004